(57)【要約】  シート材料コンベヤは、印刷されたシート材料を収集するための少なくとも１つの移動するポケットを備えたポケットコンベヤを有しており、ポケットコンベヤは、印刷されたシート材料をポケット内に解放するための解放領域を有している。シート材料コンベヤは、解放領域においてポケットに空気を提供する空気供給装置をも有している。空気供給穴を備えたポケット、及び印刷されたシート材料を加圧空気を使用して解放するための方法も提供される。
2007513850.tif 000002
【特許請求の範囲】
【請求項１】
シート材料コンベヤにおいて、
印刷されたシート材料を収集するための少なくとも１つの移動するポケットを備えたポケットコンベヤが設けられており、該ポケットコンベヤが、印刷されたシート材料をポケットに解放するための解放領域を有しており、
該解放領域において空気をポケットに提供する空気供給装置が設けられていることを特徴とする、シート材料コンベヤ。
【請求項２】
前記ポケットが、印刷されたシート材料を落下させるために解放領域において解放されるポケットフットを有している、請求項１記載のシート材料コンベヤ。
【請求項３】
前記ポケットが、空気のための空気穴を有する傾斜した収集壁を有している、請求項１記載のシート材料コンベヤ。
【請求項４】
前記空気供給装置が、空気穴に接続された、各ポケットに設けられた空気マニホールドを有している、請求項１記載のシート材料コンベヤ。
【請求項５】
前記空気供給装置が、空気を空気マニホールドに引き渡すための空気引渡しユニットを有している、請求項４記載のシートコンベヤ。
【請求項６】
前記空気引渡しユニットが解放領域に配置されている、請求項５記載のシート材料コンベヤ。
【請求項７】
前記空気引渡しユニットが、加圧空気源と、ポケットに設けられた空気マニホールドと相互作用する穴を有するベルトと、ポケットによって駆動される駆動装置とを有している、請求項５記載のシート材料コンベヤ。
【請求項８】
前記空気供給装置が、ポケットに供給される空気の圧力を変化させるように調整可能である、請求項１記載のシート材料コンベヤ。
【請求項９】
前記少なくとも１つのポケットが、複数のポケットを含む、請求項１記載のシート材料コンベヤ。
【請求項１０】
解放領域においてポケットの下側に配置された別の搬送ユニットが設けられている、請求項１記載のシート材料コンベヤ。
【請求項１１】
前記別の搬送ユニットがグリッパ搬送ユニットである、請求項１０記載のシート材料コンベヤ。
【請求項１２】
印刷されたシート材料ポケットにおいて、
収集壁が設けられており、該収集壁が、収集壁に収集された印刷されたシート材料に加圧空気を提供するための複数の空気穴を有しており、
解放可能なフットが設けられていることを特徴とする、印刷されたシート材料ポケット。
【請求項１３】
印刷されたシート材料をポケットコンベヤから引き渡すための方法において、
印刷されたシート材料に加圧空気を提供するステップと、
加圧空気が提供されながらポケットから印刷されたシート材料を解放するステップとを含むことを特徴とする、印刷されたシート材料をポケットコンベヤから引き渡すための方法。
【請求項１４】
ポケットコンベヤにおいて、種々異なる摩擦係数を有する印刷されたシート材料を丁合することを含む、請求項１３記載の方法。
【請求項１５】
解放ステップの後に、印刷されたシート材料を掴むことを含む、請求項１３記載の方法。
【発明の詳細な説明】
【技術分野】
【０００１】
本発明は概して印刷工業、特に被印刷シート材料のためのコンベヤ及び被印刷シート材料を引き渡すための方法に関する。
【０００２】
印刷機による印刷後、被印刷シート材料は裁断され、折り畳まれ、収集され、積層される。例えば新聞紙セクションが収集される。次いで、収集されたシート材料は様々な形式で引き渡されかつ運搬される。収集されたシート材料は例えば個々の移動するポケットに収集される。収集されたシート材料は、開放したセクションに挿入することによって、又は別個のシート又はセクションが並置されながら丁合されることによって、又は挿入及び丁合されることによって収集される。
【０００３】
ポケットコンベヤの例は例えば米国特許第６４４７２２９号明細書に記載されており、この明細書は、バインディングのためのスパインを提供し、引用により本明細書に記載されたものとする。米国特許第４４７９６４３号明細書及び米国特許第３８７４６４９号明細書もポケットコンベヤを開示している。Heidelberger Druckmaschinen AG も、MAGNAPACKポケットコンベヤを製造している。
【０００４】
シート材料は、収集されると、ポケットの底を開放させて、印刷されたシート材料を落下させることによって別のコンベヤへ引き渡されることができる。例えば、Heidelberger Druckmaschinen AGは、ポケットコンベヤから落とされた新聞セクションを掴むことができる、NP125と呼ばれるグリッパを製造している。
【０００５】
発明の簡単な概要
収集された印刷されたシート材料の部分は、ポケットから落とされる時、ポケットの部分に対する摩擦を受け、ひいてはばらばらに落下するか又はポケットに詰まることがある。このことは、スパインレジストレーションに関して又は印刷されたシート材料のさらなる運搬に関して問題を生じるおそれがある。１つの例として、新聞セクションは、無光沢新聞セクションがポケット壁に対して配置され、光沢新聞セクション又はインサートが無光沢新聞セクションに隣接して配置されるようにポケットに丁合されることができる。ポケットが開いて新聞を落下させると、無光沢新聞セクションは壁によって生ぜしめられる摩擦によってよりゆっくりと落下するか又は全く落下しないのに対し、光沢セクションは光沢コーティングの低い摩擦により迅速に落下する。スパインレジストレーションは不都合な影響を受け、装置全体の故障が生じるおそれがある。
【０００６】
本発明の目的は、落下中の低減された摩擦を提供するポケットコンベヤを提供することである。本発明の択一的な又は付加的な目的は、印刷されたシート材料の引渡しを改良することができるポケットコンベヤを提供することである。
【０００７】
本発明は、印刷されたシート材料を収集するための少なくとも１つの移動するポケットを備えたポケットコンベヤを有するシート材料コンベヤを提供し、ポケットコンベヤは、印刷されたシート材料をポケットに解放するための解放領域と、解放領域においてポケットに空気を提供する空気供給装置とを有している。
【０００８】
ポケットは、印刷されたシート材料を落下させるために解放領域において解放されるポケットフットを有することができる。
【０００９】
ポケットは、空気のための空気穴を有する傾斜した収集壁を有することができる。
【００１０】
空気供給装置は、空気穴に接続された各ポケットにおける空気マニホールドを有することができ、空気を空気マニホールドに引き渡すための空気引渡しユニットを有することができる。空気引渡しユニットは好適には解放領域に配置されている。空気引渡しユニットは、１つの実施形態において、加圧空気源と、ポケットにおける空気マニホールドと相互作用する穴を有するベルトと、ポケットによって駆動される駆動装置とを有することができる。
【００１１】
シート材料コンベヤは、解放領域においてポケットの下方に配置された別の搬送ユニットを有することができる。別の搬送ユニットは、グリッパ搬送ユニットであることができ、ポケットと同じ速度で走行することができる。
【００１２】
本発明は、収集壁を有する印刷されたシート材料ポケットをも提供し、収集壁は、収集壁において収集された印刷されたシート材料に加圧空気を提供するための複数の空気穴を有している。
【００１３】
本発明は、印刷されたシート材料をポケットコンベヤから引き渡すための方法をも提供し、この方法は、加圧された空気を印刷されたシート材料に提供するステップと、加圧空気が提供されながらポケットから印刷されたシート材料を解放するステップとを有する。
【００１４】
この方法は有利にはさらに、ポケットコンベヤにおける異なる摩擦係数を有する印刷されたシート材料をまず丁合することを含む。
【００１５】
この方法はさらに、解放するステップの後に、印刷されたシート材料を掴むことを含む。
【００１６】
図面の簡単な説明
本発明の典型的な実施形態は以下の図面を参照することによって以下に説明される。
【００１７】
図１は、ポケットからの印刷されたシート材料の解放の前における、本発明による印刷されたシート材料コンベヤの部分の側面図を示している。
【００１８】
図２は、ポケットから印刷されたシート材料を解放する間における、本発明による印刷されたシート材料コンベヤの部分の側面図を示している。
【００１９】
図３は、解放ステーションにおけるポケットを備えた、本発明による印刷されたシート材料コンベヤの部分の斜視図を示している。
【００２０】
図４は、図３の部分の上面図を示している。
【００２１】
図５は、本発明によるポケットの収集壁の詳細を示している。
【００２２】
詳細な説明
図１は、軌道２２に沿って移動するグリッパ２８を備えたグリッパコンベヤ２０の上方における移動するポケット１０を示している。ポケット１０は、収集壁１８と、フット１４とを有している。印刷されたシート材料５０は、フット１４によって支持されるために及び収集壁１８に対して当接するために、例えば丁合によって収集される。収集壁１８は、ポケット走行方向に対して傾斜させられており、移動可能又は調整可能である。収集壁１８には、空気マニホールド１６に加圧空気が供給されたときに収集壁１８における空気穴を通じて低圧空気を供給するための空気マニホールド１６が取り付けられている。
【００２３】
図５に示されたように、空気穴３０は収集壁１８の幅及び高さに亘って間隔を置いて配置されており、収集壁１８と印刷されたシート材料５０との間に実質的なエアクッションを提供するために、それぞれの方向におけるさらに離れた穴は、好適には、印刷された材料の幅の少なくとも半分に延びている。
【００２４】
ポケット１０は、図１に示されたように、さらに、印刷された材料を収集壁１８に対して維持するばね壁１２をも有する。
【００２５】
図２に示されたように、解放ステーションにおいて、フット１４は、シート材料５０を解放するように旋回させられる。収集壁１８とシート材料５０との間のエアクッションにより、シート材料５０はまとまってグリッパ２８内に落下する。図示のように、本発明は丁合されたシート材料に関して特に有利である。例えば、シート材料セクション５２が高い摩擦係数を有しており、例えばセクション５２が無光沢新聞セクションであり、シート材料セクション５４が低い摩擦係数を有している、例えばセクション５４は光沢のある広告セクションである場合でさえも、セクション５２及び５４はまとまって落下することができる。なぜならば、収集壁１８とセクション５２との間のエアクッションが、摩擦力を、セクション５２と５４との間の摩擦力よりも小さく減じるからである。
【００２６】
図３は、解放領域における本発明によるコンベヤの斜視図を示している。複数のポケット１０は軌道若しくはレール４０上を走行し、これによりポケット１０及びレール４０はポケットコンベヤを形成している。キャリヤ１５は、レール４０上にポケット１０支持し、マニホールド１６が空気引渡しユニット６０と整列することを保証する。引渡しユニット６０は、ベルト６２の背後における包囲された領域に加圧空気を提供する加圧空気源６６を有している。上側及び下側において、ベルト６２は、歯付ベルト区分６４によって駆動され、この歯付ベルト区分は、ベルト６２を駆動するためにキャリヤ１５における歯と相互作用する。ベルト６２がポケット１０によって駆動されるときに空気穴６８はマニホールド１６と相互作用し、これにより、ポケット１０がベルト６２を通過するときに、空気が、供給部６６から、空気穴６８と、マニホールド１６とを通って、収集壁１８における穴３０へ供給される。空気引渡しユニット６０は好適には、空気穴６８を通って提供される空気圧が調整可能であるように調整可能である。所望の実際の空気圧は、ポケットにおいて使用された材料と、収集される印刷されたシート材料のタイプ及び寸法とに依存し、印刷されたシート材料が適切に引き渡されるように、オペレータによって調整されることができる。
【００２７】
空気穴６８は、開放しているか、又は、例えばマニホールド１６の突出部が空気穴６８のうちの１つに進入した時に解放するカバーを有することができる。
【００２８】
ここで定義される空気は、あらゆる圧縮性流体を含むことができる。
【図面の簡単な説明】
【００２９】
【図１】ポケットからの印刷されたシート材料の解放の前における、本発明による印刷されたシート材料コンベヤの部分の側面図を示している。
【図２】ポケットから印刷されたシート材料を解放する間における、本発明による印刷されたシート材料コンベヤの部分の側面図を示している。
【図３】解放ステーションにおけるポケットを備えた、本発明による印刷されたシート材料コンベヤの部分の斜視図を示している。
【図４】図３の部分の上面図を示している。
【図５】本発明によるポケットの収集壁の詳細を示している。
【符号の説明】
【００３０】
１０  ポケット、  １２  ばね壁、  １４  フット、  １５  キャリヤ、  １６  マニホールド、  １８  収集壁、  ２０  グリッパコンベヤ、  ２２  軌道、  ２８  グリッパ、  ３０  空気穴、  ４０  軌道、  ５０  シート材料、  ５２，５４  シート材料のセクション、  ６０  空気引渡しユニット、  ６２  ベルト、  ６４  歯付ベルト区分、  ６６  加圧空気供給部、  ６８  空気穴
【図１】
2007513850.tif 000003
【図２】
2007513850.tif 000004
【図３】
2007513850.tif 000005
【図４】
2007513850.tif 000006
【図５】
2007513850.tif 000007
【国際調査報告】
2007513850.tif 000008